(57)【要約】【課題】より多機能化が進む各種電子機器において、各種入力信号を手動操作によって切り換えるデバイスとして、機器に搭載するロータリスイッチの小型、高集積化への要求とともに視覚性、視認性を高めるため、従来の非照光式ロータリスイッチの設備を利用して照光式ロータリスイッチを構成することを可能としたものであり、スイッチ本体を内部から照光して、ポジション表示やロータを照光し、ロータの出力設定を容易ならしめる照光式ロータリスイッチを提供することを目的とする。【解決手段】スイッチを構成する筐体と前記スイッチ操作部の少なくとも何れか一方を透光性部材にて形成するとともに、可動接触板に形成された回路パターン間に接続する発光素子の有無により、前記スイッチ筐体と前記スイッチ操作部の少なくとも何れか一方の透光性部材に導光されて、前記ハウジングないしはロータを照光する照光式スイッチ。【選択図】      図１
2004214043.tif 000002
【特許請求の範囲】
【請求項１】
スイッチ筐体を形成するハウジングと、該ハウジングの略中央に位置する貫通孔を設け、前記貫通孔に操作部として回動可能なロータを配設し、該ロータの下面略中央部に設置した支軸に、複数の回路パターンを形成した可動接触板を装着し、前記ハウジング底部には絶縁性部材から成るベースを配設し、該ベースには前記回路パターンに接続する複数の固定接片を植設し、該固定接片と前記可動接触板に形成された前記回路パターンを摺動接触させて電気信号の切換えを行うロータリスイッチにおいて、前記スイッチ筐体と前記スイッチ操作部の少なくとも何れか一方を透光性部材にて形成するとともに、前記可動接触板の回路パターン間に接続する発光素子の有無により、前記スイッチ筐体と前記スイッチ操作部の少なくとも何れか一方の透光性部材に導光されて、前記ハウジングないしはロータを照光する照光式スイッチと、非照光式スイッチとを選択的に構成可能としたことを特徴とするスイッチ。
【請求項２】
前記可動接触板の下面に形成された回路パターンが前記固定接片と接続され、前記可動接触板の板厚を介して上面に形成された発光素子を接続する回路パターンと照光回路を構成し、少なくとも１回路パターン間に発光素子を接続したことを特徴とする請求項１記載のスイッチ。
【請求項３】
前記可動接触板の上面に形成された発光素子の回路パターンの一方を、下面に形成された回路パターンの共通部に接続し、他方を信号切換え部に接続するとともに、前記ロータと連動させ、発光素子の配置を前記ハウジングに形成されたポジションコードの略真下となるようにしたことを特徴とする請求項１乃至請求項２記載のスイッチ。
【請求項４】
前記可動接触板に形成された回路パターンと該回路パターンに前記発光素子と電流制限用素子を接続した請求項１乃至請求項３記載のスイッチ。
【請求項５】
スイッチ筐体を形成するハウジングと、該ハウジングの略中央に位置する貫通孔に、操作部として回動可能なロータを配設し、該ロータの下面略中央部に設置した支軸に、複数の回路パターンを形成した可動接触板を装着し、前記ハウジング底部には絶縁性部材から成るベースを配設し、該ベースには前記回路パターンに接続する複数の固定接片を植設し、該固定接片と前記ロータに配設された前記可動接触板を摺動接触させて電気信号の切換えを行うロータリスイッチにおいて、前記スイッチ本体の一部を透光性部材にて形成するとともに前記可動接触板の少なくとも１回路パターン間に発光素子を接続して前記透光性部材にて形成された透光性部分が照光することを特徴とするスイッチ。
【発明の詳細な説明】
【０００１】
【発明の属する技術分野】
本発明は、非照光式ロータリスイッチの既存設備等をそのまま利用して照光式ロータリスイッチを構成することを可能とするとともに、ロータで選択したポジション表示をより明確に判別することを容易ならしめた照光式ロータリスイッチに関する。
【０００２】
【従来の技術】
図５は従来のプリント基板搭載用ロータリスイッチの側面断面図である。
左右に配設した弾性部による切換節度感を出すロータと該ロータに連動した可動接触板に形成された回路パターン上を、ベースに植設された固定接片が摺動接触する機構を配設し、前記ロータの上面及び側面には選択したポジションを指し示す矢印、白線マークおよび一部に平坦部を形成して、接続出力を視認するように設定されている。
然るに、基板の実装密度を上げるためロータリスイッチ本体を小型化し、切換設定数が多いとロータが指し示すポジション位置を視認する事も容易ではなく、このため出力設定にあたって使いづらさがあり確実にロータを設定位置に回動するための明確な目印となるものを求められる。
本発明はスイッチ本体を内部から照光するとともにポジション表示部をも照光し、ロータの出力設定を容易ならしめる照光式ロータリスイッチを提供することにある。
一方、従来のプリント基板搭載用ロータリスイッチの大きさは端子ピッチ２．５４ｍｍ、スイッチ本体が１０ｍｍ角で高さ５．６ｍｍであり、露出するロータ径は３．８ｍｍとさらに小さく、スイッチ内部から照光してポジションを視覚、視認させるために、従来の技術ではこの大きさのまま照光式ロータリスイッチを構成することができなかった。
【０００３】
【発明が解決しようとする課題】
従来の照光ロータリスイッチ（図示せず）においては、発光素子を配置するスペースと発光素子までの配線を確保するため、前述の大きさのロータリスイッチでは照光式ロータリスイッチを構成することが困難であり、各構成部品を新規に開発するための多額な設備投資が必要となっていた。
本発明は上述の点を鑑みてなされたものであり、上記課題を解決して、従来の非照光式ロータリスイッチの既存設備をそのまま利用して照光式ロータリスイッチを構成することを可能としたものであり、確実にロータ設定を行える視覚、視認性の良好な照光式ロータリスイッチを提供することが可能となった。
【０００４】
【課題を解決するための手段】
本発明は、上記目的を達成するために、スイッチ筐体を形成するハウジングと、該ハウジングの略中央に位置する貫通孔を設け、前記貫通孔に操作部として回動可能なロータを配設し、該ロータの下面略中央部に設置した支軸に、複数の回路パターンを形成した可動接触板を装着し、前記ハウジング底部には絶縁性部材から成るベースを配設し、該ベースには前記回路パターンに接続する複数の固定接片を植設し、該固定接片と前記可動接触板に形成された前記回路パターンを摺動接触させて電気信号の切換えを行うロータリスイッチにおいて、前記スイッチ筐体と前記スイッチ操作部の少なくとも何れか一方を透光性部材にて形成するとともに、前記可動接触板の回路パターン間に接続する発光素子の有無により、前記スイッチ筐体と前記スイッチ操作部の少なくとも何れか一方の透光性部材に導光されて、前記ハウジングないしはロータを照光する照光式スイッチと、非照光式スイッチとを選択的に構成可能としたものである。
また、前記可動接触板の下面に形成された回路パターンが前記固定接片と接続され、前記可動接触板の板厚を介して上面に形成された発光素子を接続する回路パターンと照光回路を構成し、少なくとも１回路パターン間に発光素子を接続するとともに前記ロータと連動させ、発光素子の配置を前記ハウジングに形成されたポジションコードの略真下となるようにする。
さらに、前記可動接触板に形成された回路パターンと該回路パターンに前記発光素子と電流制限用素子を接続する。
加えて、スイッチ筐体を形成するハウジングと、該ハウジングの略中央に位置する貫通孔に、操作部として回動可能なロータを配設し、該ロータの下面略中央部に設置した支軸に、複数の回路パターンを形成した可動接触板を装着し、前記ハウジング底部には絶縁性部材から成るベースを配設し、該ベースには前記回路パターンに接続する複数の固定接片を植設し、該固定接片と前記ロータに配設された前記可動接触板を摺動接触させて電気信号の切換えを行うロータリスイッチにおいて、前記スイッチ本体の一部を透光性部材にて形成するとともに前記可動接触板の少なくとも１回路パターン間に発光素子を接続して前記透光性部材にて形成された透光性部分が照光するよう構成したものである。
【０００５】
【発明の実施の形態】
本発明によれば、スイッチ筐体を形成するハウジングと、該ハウジングの略中央に位置する貫通孔を設け、前記貫通孔に操作部として回動可能なロータを配設し、該ロータの下面略中央部に設置した支軸に、複数の回路パターンを形成した可動接触板を装着し、前記ハウジング底部には絶縁性部材から成るベースを配設し、該ベースには前記回路パターンに接続する複数の固定接片を植設し、該固定接片と前記可動接触板に形成された前記回路パターンを摺動接触させて電気信号の切換えを行うロータリスイッチにおいて、前記スイッチ筐体と前記スイッチ操作部の少なくとも何れか一方を透光性部材にて形成するとともに、前記可動接触板の少なくとも回路パターン間に接続する発光素子の有無により、前記スイッチ筐体と前記スイッチ操作部の少なくとも何れか一方の透光性部材に導光されて、前記ハウジングないしはロータを照光する照光式スイッチと、非照光式スイッチとを選択的に構成可能としたので、照光式と非照光式スイッチの部品の共通化が可能となり、開発投資も殆ど必要ないという優れた特徴を持つ。
【０００６】
【実施例】
以下、本発明の実施例について、図面を参照しながら詳細に説明する。
図１は本発明のスイッチの第１実施例を表す分解斜視図であり、図２はその発光素子側の側面断面図である。
【０００７】
これらの図において、スイッチ本体部を構成するハウジング１と、該ハウジング１の上面に貫通孔１ａとポジション表示１ｂをハウジング１の略中央から放射状に配設し、該貫通孔１ａにロータ３の操作部３ａが前記ハウジング１の内部から組入れられて、ロータリスイッチを構成している。
前記ロータ３には切換節度感を出すため、外周部に凸部３ｃを配置した弾性部３ｂを設け、前記ロータ３の下面にはロータ支軸３ｄとなる突起と回転止めの突起を配設し、前記ロータ３の回動と連動する可動接触板６の貫通孔６ａに前記突起を組合わせる．
この状態で前記ハウジング１の下方から前記ベース７を圧入し、組合せ部を溶融接合して組立てられる。
【０００８】
この際、可動接触板６としては、前記ベース７に配設した固定接片７ａと共通接片７ｂに摺動接触する回路パターンを下面に設け、上面には発光素子４を接続する回路パターン６ｂを配置した両面基板で構成されている。
発光素子４の接続方法については回路パターン６ｂへのはんだ付けや耐熱性の導電接着剤による固定およびスポット溶接や機械的接合など様々な方法がある。さらに、回路パターン６ｂの配置を考慮し、発光素子４を複数個搭載して多色発光となし、多色照光式ロータリスイッチを極めて容易に構成することが出来るとともに、発光素子４とともにチップ抵抗５を搭載して電流制限用抵抗内蔵型照光式ロータリスイッチとしても応用可能であり、本発明はこのような応用事例を排除する物ではない。
【０００９】
なお、ロータ３の操作部３ａに配設されたＯリング２はハウジング１・ロータ３間の回動部を密閉してフラックス等の浸入を防止するためのものである。
【００１０】
図５は従来のプリント基板用ロータリスイッチの分解斜視図である。
本発明のスイッチはこの従来のプリント基板用ロータリスイッチと比べ、発光素子４や電流制限素子５が加わった以外は殆ど同一構成となっているため発光素子４の有無によって照光式と非照光式スイッチとを選択的に構成することができ、様々な形態のスイッチに応用展開することが可能である。
【００１１】
図３は本発明のスイッチの第２実施例を表す分解斜視図であり、図４はその側面図であり、側面表示ツマミタイプの照光式ロータリスイッチの構成事例である。本実施例においてはロータ９と側面に表示するツマミ８が透光性部材により形成されていて、発光素子４から放射された光は、ロータ９に導かれてツマミ８を照光するため、ツマミ８の側面に配置されたポジション表示８ａをより明確に視認することができる。
【００１２】
さらに、図６は本発明の照光式ロータリスイッチの応用事例である。本実施例においてはポジション表示位置にあわせてハウジング１４に凹部を形成し、ハウジング１４の上面に透明シート１５を貼り合わせ、該透明シート１５に印刷を施すことで様々のポジション表示記号を形成して、該ポジション表示を照光することで、良好な視覚性をもった照光式ロータリスイッチを提供できる。
【００１３】
また、本実施例においては筐体自体や操作部を主に照光する事例を記述したが、スイッチ本体を構成するハウジングやロータの一部を透光性部材にて形成することにより、従来にない照光形態を有する照光式スイッチを提供することができる。（図示せず）
【００１４】
【発明の効果】
以上、詳細に説明したように、本発明によれば次のような効果を奏することができる。
（１）スイッチ筐体を形成するハウジングと、該ハウジングの略中央に位置する貫通孔を設け、前記貫通孔に操作部として回動可能なロータを配設し、該ロータの下面略中央部に設置した支軸に、複数の回路パターンを形成した可動接触板を装着し、前記ハウジング底部には絶縁性部材から成るベースを配設し、該ベースには前記回路パターンに接続する複数の固定接片を植設し、該固定接片と前記可動接触板に形成された前記回路パターンを摺動接触させて電気信号の切換えを行うロータリスイッチにおいて、前記スイッチ筐体と前記スイッチ操作部の少なくとも何れか一方を透光性部材にて形成するとともに、前記可動接触板の少なくとも回路パターン間に接続する発光素子の有無により、前記スイッチ筐体と前記スイッチ操作部の少なくとも何れか一方の透光性部材に導光されて、前記ハウジングないしはロータを照光する照光式スイッチと、非照光式スイッチとを選択的に構成可能とし、可動接触板の回路パターン間に接続する発光素子の有無により、ハウジング乃至操作部を照光する照光式スイッチと非照光式スイッチとを選択的に構成可能としたので、様々な種類の照光形スイッチを極めて容易に構成することができ、照光式と非照光式スイッチの部品の共通化が可能となり、在庫管理が容易となる。
（２）スイッチ筐体を形成するハウジングと、該ハウジングの略中央に位置する貫通孔を設け、前記貫通孔に操作部として回動可能なロータを配設し、該ロータの下面略中央部に設置した支軸に、複数の回路パターンを形成した可動接触板を装着し、前記ハウジング底部には絶縁性部材から成るベースを配設し、該ベースには前記回路パターンに接続する複数の固定接片を植設し、該固定接片と前記可動接触板に形成された前記回路パターンを摺動接触させて電気信号の切換えを行うロータリスイッチにおいて、前記可動接触板の下面に形成された回路パターンが前記固定接片と接続され、前記可動接触板の板厚を介して上面に形成された発光素子を接続する回路パターンと照光回路を構成し従来の非照光式スイッチを構成する既存部品に発光素子を配設するだけで照光式スイッチが得られるため、開発設備等を著しく抑制し、非照光式スイッチと同等の照光式スイッチを極めて容易に構成することができる。
（３）スイッチ筐体を形成するハウジングと、該ハウジングの略中央に位置する貫通孔を設け、前記貫通孔に操作部として回動可能なロータを配設し、該ロータの下面略中央部に設置した支軸に、複数の回路パターンを形成した可動接触板を装着し、前記ハウジング底部には絶縁性部材から成るベースを配設し、該ベースには前記回路パターンに接続する複数の固定接片を植設し、該固定接片と前記可動接触板に形成された前記回路パターンを摺動接触させて電気信号の切換えを行うロータリスイッチにおいて、前記可動接触板の上面に形成された発光素子の回路パターンの一方を、下面に形成された回路パターンの共通部に接続し、他方を信号切換え部に接続し、前記ロータと連動させ、発光素子の配置を前記ハウジングに形成されたポジションコードの略真下となるようにして可動接触板の回路パターン間に発光素子を接続することにより、ハウジング貫通孔の周囲に配置されたポジション記号を、節度感を持ったロータの切換わりとともに、発光素子がハウジングの下面から透光性部材を介して照光し、ロータによって設定された回路特性を示すポジション記号を極めて容易に視認することができる。
（４）スイッチ筐体を形成するハウジングと、該ハウジングの略中央に位置する貫通孔を設け、前記貫通孔に操作部として回動可能なロータを配設し、該ロータの下面略中央部に設置した支軸に、複数の回路パターンを形成した可動接触板を装着し、前記ハウジング底部には絶縁性部材から成るベースを配設し、該ベースには前記回路パターンに接続する複数の固定接片を植設し、該固定接片と前記可動接触板に形成された前記回路パターンを摺動接触させて電気信号の切換えを行うロータリスイッチにおいて、可動接触板の回路パターン間に発光素子と電流制限用素子を接続したので、１種類のスイッチで発光素子の制御方法を自由に選択することができる。
（５）スイッチ筐体を形成するハウジングと、該ハウジングの略中央に位置する貫通穴に、操作部として回動可能なロータを配設し、該ロータの下面略中央部に設置した支軸に、複数の回路パターンを形成した可動接触板を装着し、前記ハウジング底部には絶縁性部材から成るベースを配設し、該ベースには前記回路パターンに接続する複数の固定接片を植設し、該固定接片と前記ロータに配設された前記可動接触板を摺動接触させて電気信号の切換えを行うロータリスイッチにおいて、前記スイッチ本体の一部を透光性部材にて形成するとともに前記固定接点の少なくとも１極の固定接点間に発光素子を接続したので、従来にない照光形態を有する照光式スイッチを提供することができる。
【図面の簡単な説明】
【図１】本発明のスイッチの第１実施例を表す分解斜視図である。
【図２】本発明のスイッチの第１実施例を表す側面断面図である。
【図３】本発明のスイッチの第２実施例を表す分解斜視図である。
【図４】本発明のスイッチの第２実施例を表す側面図である。
【図５】従来のプリント基板用ロータリスイッチの分解斜視図である。
【図６】本発明の照光式ロータリスイッチの応用事例である。
【符号の説明】
１、１１、１４  ハウジング
１ａ、６ａ、１１ａ、１３ａ、１４ａ  貫通孔
１ｂ、８ａ、１１ｂ、１５ａ  ポジション表示
２  Ｏリング
３、９、１２  ロータ
３ａ、９ａ、１２ａ  操作部
３ｂ，９ｂ、１２ｂ  弾性部
３ｃ、１２ｃ  凸部
３ｄ  ロータ支軸
４  発光素子
５  電流制限素子
６、１３  可動接触板
６ｂ、１３ｂ  回路パターン
７  ベース
７ａ  固定接片
７ｂ  共通接片
７ｃ  端子
８  ツマミ
１０  カバー
１３ｃ  回転止メ孔
１４ｂ  凹部
１５  フィルム
【図１】
2004214043.tif 000003
【図２】
2004214043.tif 000004
【図３】
2004214043.tif 000005
【図４】
2004214043.tif 000006
【図５】
2004214043.tif 000007
【図６】
2004214043.tif 000008